(57)【要約】      （修正有）【課題】安価で使い勝手の良いクリアファイルを提供する。【解決手段】少なくとも一方の側辺を互いに結合されて重なった３枚以上の矩形の樹脂シートを具え、それら３枚以上の樹脂シートのうち少なくとも２枚の下辺も互いに結合される。下辺も互いに結合された２枚の樹脂シートのうちの１枚が他の１枚よりも上下方向および左右方向のうちの少なくとも一方を短尺とされてポケットを形成し、ポケットの入口が、２枚の樹脂シートのうちの１枚から切り出されて形成された突片と他の１枚に形成された切り込みとの掛合によって閉止可能とされている。【選択図】図１
0003169796.tif 000002
【実用新案登録請求の範囲】
【請求項１】
少なくとも一方の側辺を互いに結合されて重なった３枚以上の矩形の樹脂シートを具え、それら３枚以上の樹脂シートのうち少なくとも２枚の下辺も互いに結合されて、その下辺も互いに結合された樹脂シート間に薄い物を保持可能とされたクリアファイルにおいて、
前記下辺も互いに結合された２枚の樹脂シートのうちの１枚が他の１枚よりも上下方向および左右方向のうちの少なくとも一方を短尺とされてポケットを形成し、
前記ポケットの入口が、前記２枚の樹脂シートのうちの１枚から切り出されて形成された突片と他の１枚に形成された切り込みとの掛合によって閉止可能とされていることを特徴とするクリアファイル。
【請求項２】
前記突片は、その突片の延在方向と交差する方向へ突出する掛合部を有し、
前記掛合部は、前記突片の延在方向に延在する前記切り込みに差し込まれて掛合することを特徴とする、請求項１記載のクリアファイル。
【請求項３】
前記ポケットの入口は、前記２枚の樹脂シートのうちの１枚に形成された突片と他の１枚に形成された切り込みとの掛合の代りに、前記２枚の樹脂シートにそれぞれ固着された面ファスナーによって閉止可能とされていることを特徴とする、請求項１記載のクリアファイル。
【請求項４】
前記下辺でも互いに結合された２枚の樹脂シートを２組具え、
それら２組のうち一方の組は、前記ポケットの入口が閉止可能とされたものであり、
それら２組のうち他方の組は、前記ポケットの入口が開放されたものであることを特徴とする、請求項１から４までの何れか１項記載のクリアファイル。
【請求項５】
前記複数枚の矩形の樹脂シートは、それらの樹脂シートの側片に沿った複数の書類綴じ穴位置に樹脂シート同士で互いに嵌合するエンボスを形成されていることを特徴とする、請求項１から４までの何れか１項記載のクリアファイル。
【考案の詳細な説明】
【技術分野】
【０００１】
本考案は、少なくとも一方の側辺を互いに結合されて重なった３枚以上の矩形の樹脂シートを具え、それら３枚以上の樹脂シートのうち少なくとも２枚の下辺も互いに結合されて、その下辺も互いに結合された樹脂シート間に薄い物を収納可能とされたクリアファイルに関するものである。なお、この明細書において「３枚以上の樹脂シート」とは、独立した３枚以上の樹脂シートの他に、１枚の樹脂シートを折り重ねた３枚以上の樹脂シートや、１枚の樹脂シートを折り重ねた２枚の樹脂シートに独立した樹脂シートを重ねたものも含んでいる。
【背景技術】
【０００２】
上述したクリアファイルとしては従来、例えば特許文献１記載のものが知られている。このクリアファイルは、一方の側辺を互いに一体に結合されて重なった表紙用の左右２枚の樹脂シートと、それら表紙用の左右２枚の樹脂シートのそれぞれの他方の側辺に一方の側辺を一体に結合されてそれら表紙用の左右２枚の樹脂シートの内側に重なった保持用の左右２枚の樹脂シートとを具え、それら４枚の樹脂シートのうち左側の表紙用の樹脂シートと保持用の樹脂シートとの下辺も互いに結合されるとともに、右側の表紙用の樹脂シートと保持用の樹脂シートとの下辺も互いに結合されて、左右でそれぞれ表紙用の樹脂シートと保持用の樹脂シートとの間に書類等の薄い物を収納可能とされている。
【先行技術文献】
【特許文献】
【０００３】
【特許文献１】実用新案登録第３１４７０２３号公報
【考案の概要】
【考案が解決しようとする課題】
【０００４】
しかしながら上記従来のクリアファイルは、それらの収納空間が、常時上方に開放されているとともに、表紙用の樹脂シートを左右に開くと内方にも開放されるので、左右に開いた状態の表紙用の樹脂シートとそれらの内側に重なる保持用の樹脂シートとの間に、上記１枚の樹脂シートの２倍の大きさの大きな書類を収納できる点で便利ではあるものの、フロッピー（登録商標）ディスクやＣＤ、ＤＶＤ、ＵＳＢメモリ等のデータ記録媒体や、筆記用語やメモ帳等の小物を書類と一緒に収納しておくと、クリアファイルを持ち運んでいる間に収納空間の上方や内方から抜け落ちてしまう場合があるという不都合があった。
【０００５】
そしてこの問題の解決のために、別途に形成した蓋付きのポケット部材をクリアファイルに固着したりしたのでは、材料および製造にコストが嵩んで、クリアファイル本来の利点である安価さが損なわれてしまうという不都合があった。
【０００６】
それゆえ本考案は、上述の如き点について改良することで、安価で使い勝手の良いクリアファイルを提供することを目的とする。
【課題を解決するための手段】
【０００７】
本考案のクリアファイルは、少なくとも一方の側辺を互いに結合されて重なった３枚以上の矩形の樹脂シートを具え、それら３枚以上の樹脂シートのうち少なくとも２枚の下辺も互いに結合されて、その下辺も互いに結合された樹脂シート間に薄い物を収納可能とされたクリアファイルにおいて、前記下辺も互いに結合された２枚の樹脂シートのうちの１枚が他の１枚よりも上下方向および左右方向のうちの少なくとも一方を短尺とされてポケットを形成し、前記ポケットの入口が、前記２枚の樹脂シートのうちの１枚から切り出されて形成された突片と他の１枚に形成された切り込みとの掛合によって閉止可能とされていることを特徴とするものである。
【考案の効果】
【０００８】
かかる本考案のクリアファイルによれば、下辺も互いに結合された２枚の樹脂シートのうちの１枚が他の１枚よりも上下方向および左右方向のうちの少なくとも一方を短尺とされてポケットを形成しているので、余分な樹脂シートを用いず、収納空間を形成する樹脂シートだけでポケットを形成することから、安価にクリアファイルを形成することができる。
【０００９】
しかも本考案のクリアファイルによれば、ポケットの入口が、２枚の樹脂シートのうちの１枚から切り出されて形成された突片と他の１枚に形成された切り込みとの掛合によって閉止可能とされているので、簡易な構成で、データ記録媒体や、筆記用語やメモ帳等の小物の、ポケット内からの脱落を防止することができる。
【００１０】
なお、本考案においては、前記突片は、その突片の延在方向と交差する方向へ突出する掛合部を有し、前記掛合部は、前記突片の延在方向に延在する前記切り込みに差し込まれて掛合するものであると好ましい。樹脂シートから切り出された突片は、その突片の延在方向と交差する方向へは曲がりにくいので、突片の延在方向に延在する切り込みに差し込まれると、意図せず引っ掛かったりしても抜け出しにくいからである。
【００１１】
また、本考案においては、前記ポケットの入口は、前記２枚の樹脂シートのうちの１枚に形成された突片と他の１枚に形成された切り込みとの掛合の代りに、前記２枚の樹脂シートにそれぞれ固着された面ファスナーによって閉止可能とされていても好ましい。面ファスナーであれば、コストは多少嵩むものの開口部を長尺に渡って容易に閉止でき、しかもさほど厚くないのでクリアファイルが嵩張らないからである。
【００１２】
さらに、本考案においては、前記下辺でも互いに結合された２枚の樹脂シートを２組具え、それら２組のうち一方の組は、前記ポケットの入口が閉止可能とされたものであり、それら２組のうち他方の組は、前記ポケットの入口が開放されたものであると好ましい。一方のポケット内をデータ記録媒体や、筆記用語やメモ帳等の小物の収納空間とし、他方のポケット内を書類等の大きな物の収納空間とすることができるからである。
【００１３】
さらに、本考案においては、前記複数枚の矩形の樹脂シートは、それらの樹脂シートの側片に沿った複数の書類綴じ穴位置に樹脂シート同士で互いに嵌合するエンボスを形成されていると好ましい。エンボス同士の突部と凹部とを嵌合させることで、ポケットを持つ複数のクリアファイルを着脱可能にかつ互いに滑らないように纏めることができ、また、収納空間に収納した書類に綴じ穴が開いていればその綴じ穴をエンボスに掛合させることで書類を抜け止めできるからである。
【図面の簡単な説明】
【００１４】
【図１】本考案のクリアファイルの第１実施例の構成を示す見開き正面図である。
【図２】上記実施例のクリアファイルの組立前の展開図である。
【図３】図２のＡ−Ａ線に沿う断面図である。
【図４】上記実施例のクリアファイルを閉じた状態で示す斜視図である。
【図５】本考案のクリアファイルの第２実施例の構成を示す見開き正面図である。
【図６】本考案のクリアファイルの第３実施例の構成を閉じた状態で示す斜視図である。
【図７】本考案のクリアファイルの第４実施例の構成を閉じた状態で示す斜視図である。
【考案を実施するための形態】
【００１５】
以下、本考案の実施の形態を実施例によって、図面に基づき詳細に説明する。ここに、図１は、この考案のクリアファイルの第１実施例の構成を示す見開き正面図、図２は、上記実施例のクリアファイルの組立前の展開図、図３は、図２のＡ−Ａ線に沿う断面図、そして図４は、上記実施例のクリアファイルを閉じた状態で示す斜視図である。
【００１６】
この第１実施例のクリアファイルは、一方の側辺を互いに一体に結合されて重なった表紙用の左右２枚の樹脂シート１，２と、それら表紙用の左右２枚の樹脂シート１，２のそれぞれの他方の側辺に一方の側辺を一体に結合されてそれら表紙用の左右２枚の樹脂シートの内側に重なった保持用の左右２枚の樹脂シート３，４とを具え、それら４枚の樹脂シートのうち左側の表紙用の樹脂シート１と保持用の樹脂シート３との下辺も熱圧着部５により互いに結合されるとともに、右側の表紙用の樹脂シート２と保持用の樹脂シート４との下辺も熱圧着部５により互いに結合されて、左側で表紙用の樹脂シート１と保持用の樹脂シート３との間に書類等の薄い物を収納可能とされるとともに、右側でも表紙用の樹脂シート２と保持用の樹脂シート４との間に書類等の薄い物を収納可能とされている。
【００１７】
また、この第１実施例のクリアファイルでは、左右それぞれの側で、下辺も互いに結合された表紙用と保持用との２枚の樹脂シートのうちの保持用の樹脂シート３，４が、表紙用の樹脂シート１，２よりも上下方向および左右方向を短尺とされて、収納物の出し入れが容易なポケット６を形成しており、特に左側の表紙用の樹脂シート１と保持用の樹脂シート３とは、その保持用の樹脂シート３の他方の側辺でも熱圧着部５により互いに結合されて、左側の表紙用の樹脂シート１の内側に、上向きにだけ開口したポケット６を形成している。
【００１８】
さらに、この第１実施例のクリアファイルでは、左側の表紙用の樹脂シート１から内向きに切出されて表紙用の樹脂シート１の中間部で下向きに延在する突片７が、その突片７の延在方向と直交する方向であって互いに逆向きの方向へ突出する２箇所の掛合部７ａを有して逆Ｔ字状をなしており、それら掛合部７ａは、保持用の樹脂シート３の上部中央部に突片７の延在方向である上下方向へ延在するように形成された２箇所の切り込み８に差し込まれて保持用の樹脂シート３と掛合し、図１および図４に示すように、左側の表紙用の樹脂シート１の内側の上向きにだけ開口したポケット６のその開口部を閉止することができる。なお、２箇所の掛合部７ａの間の部分を持ち上げれば、２箇所の掛合部７ａを２箇所の切り込み８から引き出して掛合を解除し、ポケット６の開口部を開放させることができる。
【００１９】
さらに、この第１実施例のクリアファイルでは、左右側の表紙用の樹脂シート１，２のそれぞれの、それらの樹脂シート１，２同士を結合する側片に沿った例えば２箇所の書類綴じ穴位置に、当該クリアファイルの樹脂シート１，２同士だけでなく他のクリアファイルの樹脂シート１，２との間でも互いに嵌合する、例えば円錐台状のエンボス９を形成されている。なお、エンボス９の形状は、先端が平坦な円錐台状でなく先端が丸い略半球状等でも良い。
【００２０】
この第１実施例のクリアファイルを製造する際は、例えば通常のクリアファイル用のポリエチレンやポリプロピレン等の樹脂材料からなる長尺の原料樹脂シートから、例えばプレス成形で、図２に示すように、一方の側辺で互いに一体に結合された表紙用の左右２枚の樹脂シート１，２と、それら表紙用の左右２枚の樹脂シート１，２のそれぞれの他方の側辺に一方の側辺を一体に結合された保持用の左右２枚の樹脂シート３，４との輪郭を持つ一枚の樹脂シート１０を切り出すとともに、その樹脂シート１０に突片７および切り込み８を形成し、さらに樹脂シート１０に例えば加熱・加圧プレス成形で４箇所のエンボス９を張り出し成形し、その際、表紙用の左側の樹脂シート１ではエンボス９を外向き（図２の紙面の下方向き）に張り出し成形する一方、表紙用の右側の樹脂シート１ではエンボス９を内向き（図２の紙面の上方向き）に張り出し成形する。
【００２１】
しかる後、樹脂シート１０の両側部を表紙用の左右２枚の樹脂シート１，２と保持用の左右２枚の樹脂シート３，４との間でそれぞれ外向きに山折りして表紙用の左右２枚の樹脂シート１，２の上に保持用の左右２枚の樹脂シート３，４をそれぞれ重ねてから、例えば加熱・加圧プレス成形で上記熱圧着部５を形成して、左側の表紙用の樹脂シート１と保持用の樹脂シート３との下辺同士を結合するとともに、右側の表紙用の樹脂シート２と保持用の樹脂シート４との下辺同士を結合し、さらに左側の表紙用の樹脂シート１と保持用の樹脂シート３の側辺とを結合する。そして最後に、樹脂シート１０の中央部を表紙用の左右２枚の樹脂シート１，２の間で外向きに山折りして、表紙用の左右２枚の樹脂シート１，２を重ねるとともにそれらの内側に保持用の樹脂シート３，４を重ねて、図４に示すようなクリアファイルを形成する。
【００２２】
かかる第１実施例のクリアファイルによれば、左側および右側のそれぞれで、下辺も互いに結合された２枚の樹脂シート１，２および３，４のうちの１枚である保持用の樹脂シート３，４が他の１枚である表紙用の樹脂シート１，２よりも上下方向および左右方向を短尺とされてポケット６を形成しているので、余分な樹脂シートを用いず、収納空間を形成する樹脂シートだけでポケット６を形成することから、安価にクリアファイルを形成することができる。
【００２３】
しかもこの第１実施例のクリアファイルによれば、ポケット６の入口が、２枚の樹脂シートのうちの１枚である表紙用の樹脂シート１から切り出されて形成された突片７と他の１枚である保持用の樹脂シート３に形成された切り込み８との掛合によって閉止可能とされているので、簡易な構成で、データ記録媒体や、筆記用語やメモ帳等の小物の、ポケット６内からの脱落を防止することができる。
【００２４】
さらにこの第１実施例のクリアファイルによれば、突片７は、その突片７の延在方向と交差する方向へ突出する掛合部７ａを有し、その掛合部７ａは、突片７の延在方向に延在する切り込み８に差し込まれて掛合するものであるので、樹脂シートから切り出された突片７はその突片７の延在方向と交差する方向へは曲がりにくいことから、突片７の延在方向に延在する切り込み８に差し込まれた状態で、意図せず突片７に物が引っ掛かったりしても掛合部７ａの抜け出しを防止することができる。
【００２５】
さらにこの第１実施例のクリアファイルによれば、下辺でも互いに結合された２枚の樹脂シートを左側と右側とで２組具え、それら２組のうち左側の組は、ポケット６の入口が閉止可能とされたものであり、それら２組のうち右側の組は、ポケット６の入口が開放されたものであるので、左側の表紙用の樹脂シート１と保持用の樹脂シート３とが形成するポケット６内をフロッピーディスクＦ等のデータ記録媒体や、筆記用語やメモ帳等の小物の収納空間とし、右側の表紙用の樹脂シート２と保持用の樹脂シート４とが形成するポケット６内を、Ａ４サイズの書類Ｓ等の大きな物の収納空間とすることができる。
【００２６】
さらにこの第１実施例のクリアファイルによれば、表紙用の樹脂シート１，２は、それらの樹脂シートの側片に沿った２箇所の書類綴じ穴位置に樹脂シート同士で互いに嵌合するエンボス９を形成されていることから、エンボス９同士の突部と凹部とを嵌合させることで、ポケット６を持つ複数のクリアファイルを着脱可能にかつ互いに滑らないように纏めることができ、また、収納空間に収納した書類Ｓに綴じ穴が開いていればその綴じ穴をエンボス９に掛合させることで書類Ｓを抜け止めすることができる。
【００２７】
図５は、本考案のクリアファイルの第２実施例の構成を示す見開き正面図であり、この第２実施例のクリアファイルは先の第１実施例と左側のポケット６、突片７および切り込み８の構成が異なるのみであるので、以下にはその異なる部分のみについて説明し、先の第１実施例と同様の部分はそれと同一の符号にて示す。
【００２８】
すなわち、この第２実施例のクリアファイルでは、左側の表紙用の樹脂シート１と保持用の樹脂シート３とが形成するポケット６が、左側の表紙用の樹脂シート１と保持用の樹脂シート３との下辺同士を熱圧着部５で結合するとともに、左側の表紙用の樹脂シート１と保持用の樹脂シート３との左方の側辺同士を一体に結合することで、上向きおよび内向き（右向き）に開口し、その保持用の樹脂シート３の右方の側辺と上辺とが交わる角部に、略矩形の突片７がその保持用の樹脂シート３と一体に形成され、またその突片７を差し込めるように、左側の表紙用の樹脂シート１の中間部に２箇所の切り込み８が形成されて、ポケット６の入口を閉止可能とされており、他の点は先の第１実施例と同様に構成されている。
【００２９】
この第２実施例のクリアファイルによれば、先の実施例と同様の作用効果を奏し得るのに加えて、ＣＤ，ＤＶＤ等の大きいディスクＤを収容するポケット６と、そのポケット６を閉止する突片７とを簡易に構成することができる。
【００３０】
図６は、本考案のクリアファイルの第３実施例の構成を閉じた状態で示す斜視図であり、この第３実施例のクリアファイルは、先の第１，第２実施例と異なるので、以下にはその異なる部分のみについて説明し、先の第１，第２実施例と同様の部分はそれと同一の符号にて示す。
【００３１】
すなわち、この第３実施例のクリアファイルでは、右側の表紙用の樹脂シート２に保持用の樹脂シート４を結合していず、また左側の表紙用の樹脂シート１の外側に保持用の樹脂シート３を折り重ねて、それら右側の表紙用の樹脂シート２と左側の表紙用の樹脂シート１と保持用の樹脂シート３との下辺同士を熱圧着部５で結合するとともに、左側の表紙用の樹脂シート１と保持用の樹脂シート３の側辺とを熱圧着部５で結合することで、側の表紙用の樹脂シート１と右側の表紙用の樹脂シート２との間に、上方および外側方に開口した収納空間１１が形成されるとともに、左側の表紙用の樹脂シート１と保持用の樹脂シート３とで左側の表紙用の樹脂シート１の外側にポケット６を形成し、その保持用の樹脂シート３に形成した切り込み８に左側の表紙用の樹脂シート１から切り出し形成した突片７を掛合させることで、ポケット６の入口を閉止可能とされており、他の点は先の第１実施例と同様に構成されている。
【００３２】
この第３実施例のクリアファイルによれば、先の第１，第２実施例と同様の作用効果を奏し得るのに加えて、上方および外側方に開口した収納空間１１に対し書類を容易に出し入れすることができる。
【００３３】
図７は、本考案のクリアファイルの第４実施例の構成を閉じた状態で示す斜視図であり、この第４実施例のクリアファイルは、先の第３実施例とポケット６の閉止構造のみが異なるので、以下にはその異なる部分のみについて説明し、先の第３実施例と同様の部分はそれと同一の符号にて示す。
【００３４】
すなわち、この第４実施例のクリアファイルでは、ポケット６の入口は、左側の表紙用の樹脂シート１に形成された突片７と保持用の樹脂シート３に形成された切り込み８との掛合の代りに、それら左側の表紙用の樹脂シート１と保持用の樹脂シート３とにそれぞれ固着されたベルクロ（登録商標）テープ等の面ファスナー１２によって閉止可能とされている。
【００３５】
この第４実施例のクリアファイルによれば、先の第３実施例と同様の作用効果を奏し得るのに加えて、コストは多少嵩むものの、ポケット６の入口を長尺に渡って容易に閉止でき、しかもさほど厚くないのでクリアファイルを嵩張らないようにすることができる。
【００３６】
以上、図示例に基づき説明したが、この考案は上述の例に限定されるものでなく、実用新案登録請求の範囲の記載範囲内で適宜変更し得るものであり、例えば、所定の書類綴じ穴位置にエンボスの代わりに書類綴じ穴を開けても良く、また掛合部を突片の片側だけに設けても良い。
【産業上の利用可能性】
【００３７】
かくして本考案のクリアファイルによれば、下辺も互いに結合された２枚の樹脂シートのうちの１枚が他の１枚よりも上下方向および左右方向のうちの少なくとも一方を短尺とされてポケットを形成しているので、余分な樹脂シートを用いず、収納空間を形成する樹脂シートだけでポケットを形成することから、安価にクリアファイルを形成することができる。
【００３８】
しかも本考案のクリアファイルによれば、ポケットの入口が、２枚の樹脂シートのうちの１枚から切り出されて形成された突片と他の１枚に形成された切り込みとの掛合によって閉止可能とされているので、簡易な構成で、データ記録媒体や、筆記用語やメモ帳等の小物の、ポケット内からの脱落を防止することができる。
【符号の説明】
【００３９】
１  左側の表紙用の樹脂シート
２  右側の表紙用の樹脂シート
３  保持用の樹脂シート
４  保持用の樹脂シート
５  熱圧着部
６  ポケット
７  突片
７ａ  掛合部
８  切り込み
９  エンボス
１０  樹脂シート
１１  収納空間
１２  面ファスナー
Ｆ  フロッピー（登録商標）ディスク
Ｓ  書類
Ｄ  ディスク
【図１】
0003169796.tif 000003
【図２】
0003169796.tif 000004
【図３】
0003169796.tif 000005
【図４】
0003169796.tif 000006
【図５】
0003169796.tif 000007
【図６】
0003169796.tif 000008
【図７】
0003169796.tif 000009
【手続補正書】
【提出日】平成23年6月16日(2011.6.16)
【手続補正１】
【補正対象書類名】実用新案登録請求の範囲
【補正対象項目名】請求項４
【補正方法】変更
【補正の内容】
【請求項４】
前記下辺でも互いに結合された２枚の樹脂シートを２組具え、
それら２組のうち一方の組は、前記ポケットの入口が閉止可能とされたものであり、
それら２組のうち他方の組は、前記ポケットの入口が開放されたものであることを特徴とする、請求項１から３までの何れか１項記載のクリアファイル。